(57)【要約】【課題】パチンコ機等の遊技機を取付ける遊技機取付ユニットにおいて、遊技機に溜まるほこりを低減し、遊技機の日差しによる退色を低減する手段を設け、その手段を画像投影用のスリーン等にも活用すること。【解決手段】１対の側面板２１１１，２１１２、天面板２１２、底面板２１３からなる枠部に支柱２１６１，２１６２、棚板２１４、前面板２１５等を取付けて、パチンコ機を装着する窓部２０を形成してある。枠部の上部には、カーテンボックス４１を取付け、そのカーテンボックス４１内にロールカーテン装置３１を取付ブラケット３１６によって取付けてある。ロールカーテン装置３１は、フレーム３１２の両端に取付けたサイドブラケット３１１に巻取パイプ３１４を装着し、その巻取パイプ３１４にカーテン３１５を巻き付けてある。【選択図】                図２
2004344376.tif 000002
【特許請求の範囲】
【請求項１】
側面部材、天面部材、底面部材からなる枠部に遊技機を装着する窓部を形成した遊技機取付ユニットにおいて、その遊技機取付ユニットの上部にロールカーテン装置を取付けてあることを特徴とする遊技機取付ユニット。
【請求項２】
側面部材、天面部材、底面部材からなる枠部に遊技機を装着する窓部を形成した遊技機取付ユニットにおいて、その遊技機取付ユニットの上部にロールカーテン装置を取付けてあり、家庭に設置することを特徴とする遊技機取付ユニット。
【請求項３】
側面部材、天面部材、底面部材からなる枠部に遊技機を装着する窓部を形成した遊技機取付ユニットにおいて、その遊技機取付ユニットの上部にロールカーテン装置を取付けてあり、パチンコ店以外の店等に設置することを特徴とする遊技機取付ユニット。
【請求項４】
側面部材、天面部材、底面部材からなる枠部に遊技機を装着する窓部を形成した遊技機取付ユニットにおいて、その遊技機取付ユニットの上部にロールカーテン装置を取付けてあり、パチンコ店に設置することを特徴とする遊技機取付ユニット。
【発明の詳細な説明】
【０００１】
【発明の属する技術分野】
本願発明は、パチンコ機等の遊技機を取付ける遊技機取付ユニットに関する。
【０００２】
【従来の技術】
図４は、従来のパチンコ店に設置するパチンコ機取付ユニットの正面図である。
取付ユニットは、側面部材７１１，７１３、天面部材７１２、底面部材７１４からなり、底面部材７１４にはキャスター７１６を取付けてある。取付ユニットには、棚板７１５、パチンコ機７２、遊技玉貸出装置７３、呼出しランプ等を装着した表示板７４等を取付けてある。パチンコ機７２は、遊技盤７２１、上皿７２２、下皿７２３、遊技玉発射用の操作ハンドル７２４、玉箱７２５等を備えている（例えば特許文献１参照）。
【０００３】
【特許文献１】
特開１０−１７９９０１号公報
【０００４】
【発明が解決しようとする課題】
従来のパチンコ機取付ユニットは、パチンコ店に設置することを前提に製作されているため、パチンコ機をむき出しで設置するように構成されている。そのためパチンコ機７２の上皿７２２、下皿７２３、玉箱７２５等にほこりが溜まり、遊戯玉がほこりまみれになってパチンコ機の動作の障害になることもある。また遊技者は、ほこりまみれの遊技玉を掴み、ほこりをかぶった操作ハンドル７２４を握らなければならない。また遊技盤７２１に描かれている絵柄や模様は、設置場所によっては日差しにより退色して見苦しくなることもある。
【０００５】
パチンコ機は、パチンコ店の外、例えば家庭、おもちゃ店、喫茶店、理髪店等に設置する場合もあるが、そのような場合には、パチンコ機の使用頻度が比較的低いこともあってほこりの影響が大きい。また家庭、おもちゃ店等の場合には、ベランダや屋外に設置することもあるため、日差しの影響も受け易い。さらに家庭、喫茶店、理髪店等に設置する場合には、パチンコ機がむき出しのままでは、設置場所の雰囲気にマッチしない場合もある。
本願発明は、これらの問題点に鑑み、ほこりや日差しの影響を受けにくく、家庭等のインテリアとしても設置できるパチンコ機等の遊技機取付ユニットを提供することを目的とする。
【０００６】
【課題を解決するための手段】
請求項１に記載の遊技機取付ユニットは、側面部材、天面部材、底面部材からなる枠部に遊技機を装着する窓部を形成した遊技機取付ユニットにおいて、その遊技機取付ユニットの上部にロールカーテン装置を取付けてあることを特徴とする。
請求項２に記載の遊技機取付ユニットは、側面部材、天面部材、底面部材からなる枠部に遊技機を装着する窓部を形成した遊技機取付ユニットにおいて、その遊技機取付ユニットの上部にロールカーテン装置を取付けてあり、家庭に設置することを特徴とする。
請求項３に記載の遊技機取付ユニットは、側面部材、天面部材、底面部材からなる枠部に遊技機を装着する窓部を形成した遊技機取付ユニットにおいて、その遊技機取付ユニットの上部にロールカーテン装置を取付けてあり、パチンコ店以外の店等に設置することを特徴とする。
請求項４に記載の遊技機取付ユニットは、側面部材、天面部材、底面部材からなる枠部に遊技機を装着する窓部を形成した遊技機取付ユニットにおいて、その遊技機取付ユニットの上部にロールカーテン装置を取付けてあり、パチンコ店に設置することを特徴とする。
【０００７】
【発明の実施の形態】
図１〜図３により本願発明の実施の形態に係るパチンコ機取付ユニットを説明する。なお各図に共通の部分は、同じ符号を使用している。
【０００８】
図１は、パチンコ機を取付けた状態のパチンコ機取付ユニットの正面図である。
パチンコ機取付ユニットは、側面板２１１１，２１１２、天面板２１２（図２に記載）、底面板２１３によって枠部を形成し、その枠部の側面板２１１１，２１１２には、棚板２１４、前面板２１５、パチンコ機取付用の支柱２１６１，２１６２等を取付け、底板２１３にキャスター５１を取付けてある。
【０００９】
パチンコ機取付ユニットには、パチンコ機１１、ロールカーテン装置３１、カーテンボックス４１を取付けてある。パチンコ機１１は、遊技盤１１１、上皿１１２、下皿１１３、遊技玉発射用の操作ハンドル１１４、玉箱１１５を備えている。
ロールカーテン装置３１の構成は、図２において説明する。
なお図１のパチンコ機１１の構成は、１例であって、他の構成のものであってもよい。
【００１０】
図２は、パチンコ機を外した状態のパチンコ機取付ユニットの正面図と側面図である。図２（ａ）は、正面図であり、図２（ｂ）は、図２（ａ）の矢印Ｙ１方向の側面図で、側面板２１１１，支柱２１６１を外した状態の図である。
側面板２１１１，２１１２には、天面板２１２、底面板２１３を固着して枠部を形成している。その枠部の側面板２１１１，２１１２には、支柱２１６１，２１６２と棚板２１４を取付けて、図１のパチンコ機１１を挿入（或いは装着）する窓部２０を形成してある。パチンコ機１１は、窓部２０に挿入して支柱２１６１，２１６２に固着する。また前記枠部の側面板２１１１，２１１２には、前面板２１５、カーテンボックス４１又ロールカーテン装置３１の取付板２１７、補助板２１８を固着してある。前記各板や支柱の材料には、木材、金属、プラスチック等を用いることができる。また前記各板、支柱、パチンコ機等の固着には、ネジ、釘、接着剤等を用いることができる。
側面板２１１１，２１１２、天面板２１２、底面板２１３は、板状体に限らず、柱状体、或いは板状体と柱状体の組合せ等からなる枠部形成部材、即ち側面部材、天面部材、底面部材であればよい。
【００１１】
前記枠部上部の取付板２１７には、カーテンボックス４１を取付け、そのカーテンボックス４１内の側面にロールカーテン装置３１を取付けてある。なおカーテンボックス４１は、取付板２１７を省略して天面板２１２、補助板２１８に直接取付けるようにすることもできる。ロールカーテン装置３１は、サイドブラケット３１１、フレーム３１２、軸３１３を備えた巻取パイプ３１４、その巻取パイプ３１４に巻き付けたカーテン３１５等からなり、軸３１３は、サイドブラケット３１１の軸受部にはめ込んである。ロールカーテン装置３１は、カーテンボックス４１内の側面に取付ブラケット３１６を固着し、その取付ブラケット３１６によってフレーム３１２を支持している。またサイドブラケット３１１は、フレーム３１２の両端に取付けてある。カーテン３１５は、棚板２１４まで引き下ろして窓部２０、即ちパチンコ機１１の前面を覆う。
【００１２】
図２のロールカーテン装置３１は、１例であってこの形式のものに限らず他の形式のものでもよい。またカーテンボックス４１は、必ずしも必要でなく省略して取付板２１７にロールカーテン装置３１を直接取付けてもよい。またカーテン３１５の生地は、布、不織布、フィルム状のもの等いずれであってもよい。
またキャスター５１は、パチンコ機取付ユニットを移動する際に都合がよいが、必ずしも必要なものではないから省略してもよい。またキャスター５１は、車のない脚に代えてもよい。
【００１３】
図２の前面板２１５は、側面板２１１１，２１１２に固着してあるが、固着せずに扉に代えてもよい。前面板２１５が扉の場合には、その扉に覆われた空間を物入れ（収納部）として使用することもできる。
図２の棚板２１４は、側面板２１１１，２１１２に固着してあるが、固着せずに側面板２１１１，２１１２に、例えばレールを取付ける等して図２（ｂ）において左右に移動（摺動）するように構成してもよい。その場合には、カーテン３１５を下へ引くとき、棚板２１４を右側へ移動してからカーテン３１５を底板２１３の近くまで引下げることができる。また枠部の背面（裏側）に覆板を取付けて箱状に形成してもよい。その場合には、パチンコ機の裏側に溜まるほこりを低減できる。
【００１４】
なお側面板２１１１，２１１２、天面板２１２、底面板２１３、棚板２１４、前面板２１５、支柱２１６１，２１６２、カーテンボックス４１等には、木目等の模様や図柄、色（カラー）等を施してインテリアとしての効果を高めることもできる。その場合、木目等の模様や図柄、色（カラー）等は、それらを印刷したフィルムを用い、前記側面板等にそのフィルムを貼り付けてもよい。
【００１５】
図３は、図２においてロールカーテン装置３１を、カーテンボックス４１内の上面に下向きに取付けた例である。
ロールカーテン装置３１は、カーテンボックス４１内の上面に取付ブラケット３１６を固着し、その取付ブラケット３１６によってフレーム３１２を支持している。ロールカーテン装置３１を、図３のようにカーテンボックス４１内の上面に取付けるか、図２のようにカーテンボックス４１内の側面に取付けるかは、ロールカーテン装置３１を取付けるスペース等を考慮して適宜選択すればよい。
なお図３の場合、カーテンボックス４１を省略し、取付板２１７を低くするか或いは省略して天面板２１２を図３（ｂ）において左側へ延長して庇状に形成し、その庇状の部分にロールカーテン装置３１を下向きに取付けてもよい。
【００１６】
前記実施の形態は、パチンコ機の取付ユニットについて説明したが、パチンコ機に限らず、他の遊技機の取付ユニットとしても使用することができる。
前記実施の形態のパチンコ機取付ユニットは、上部にロールカーテン装置を取付けてパチンコ機を使用しないとき、カーテンを引下げてパチンコ機の前面を覆うように構成してあるから、遊技玉や操作ハンドル等にほこりが溜まるのを防止できる。したがってほこりによるパチンコ機の故障を低減でき、仮にベランダ等の日当たりのよい場所に設置しても、日差しによる遊技盤の退色を低減できる。
【００１７】
前記実施の形態のパチンコ機取付ユニットは、それを設置する場所の雰囲気や環境に合わせて、ロールカーテン装置のカーテンの生地や模様等を選択することにより、インテリアとしても使用することができる。またカーテンは、ほこり除けや日除けの他、スライド等の画像投影用のスクリーンとしても使用できる。またパチンコ機取付ユニットは、家庭の他おもちゃ店、喫茶店、理髪店、歯科医院待合室等の遊戯機として設置することもできるが、その場合には、カーテンに店名や商品名等を表示して広告手段に活用することもできる。
前記実施の形態のパチンコ機取付ユニットは、パチンコ店に設置し、パチンコ機を取付けて非営業用のパチンコ機として、例えば休憩時のゲーム用或いは練習用パチンコ機として、或いは子供を同伴したとき子供のゲーム用パチンコ機として使用することもできる。
【００１８】
【発明の効果】
本願発明の遊技機取付ユニットは、遊技機に溜まるほこりを低減して遊技機の故障を低減するとともに、遊技者はほこりまみれの遊技玉や操作ハンドル等を掴まなくてよいから、快適に遊技を楽しむことができる。また日差しによる遊技盤等の退色を低減できる。
【００１９】
本願発明の遊技機取付ユニットは、家庭、おもちゃ店、喫茶店、理髪店、歯科医院待合室等の遊技機として設置するとともにインテリアとしても使用でき、かつロールカーテン装置のカーテンを画像投影用のスクリーンや広告手段としても活用できる。
本願発明の遊技機取付ユニットは、パチンコ店等の遊技店に設置し、パチンコ機等の遊技機を取付けて非営業用の遊技機として、例えば休憩時のゲーム用或いは練習用遊技機として、或いは子供を同伴したとき子供のゲーム用遊技機として使用できる。
【図面の簡単な説明】
【図１】本願発明の実施の形態に係るパチンコ機を取付けた状態のパチンコ機取付ユニットの正面図である。
【図２】本願発明の実施の形態に係るパチンコ機を外した状態のパチンコ機取付ユニットの正面図と側面図である。
【図３】図２のロールカーテン装置を、カーテンボックス内の上面に下向きに取付けた例を示す図である。
【図４】従来のパチンコ機取付ユニットの正面図である。
【符号の説明】
１１    パチンコ機
１１１    遊技盤
１１２    上皿
１１３    下皿
１１４    操作ハンドル
１１５    玉箱
２０    窓部
２１１１，２１１２    側面板
２１２    天面板
２１３    底面板
２１４    棚板
２１５    前面板
２１６１，２１６２    支柱
２１７    取付板
２１８    補助板
３１    ロールカーテン装置
３１１    サイドブラケット
３１２    フレーム
３１４    巻取パイプ
３１５    カーテン
３１６    取付ブラケット
４１    カーテンボックス
【図１】
2004344376.tif 000003
【図２】
2004344376.tif 000004
【図３】
2004344376.tif 000005
【図４】
2004344376.tif 000006